(57)【要約】【課題】各リモコンに表示される時刻の精度を高く維持すると共に、各リモコンにおける時刻変更処理と時刻同期処理を簡素化した給湯システムを、コストを抑えて提供する。【解決手段】台所リモコン３のマイコン９２は、時刻変更操作がなされていないときは浴室リモコン２から送信される時刻計時用発振回路７５の出力パルスに基づく第１の時刻データにより示される時刻を表示すると共に、該第１の時刻データを第２の時刻データとして浴室リモコン２に送信し、時刻変更操作がなされたときに、所定時間が経過するまでマイコン駆動用発振回路９３の出力パルスに基づく計時時刻を表示すると共に、該計数した時刻を示すデータを浴室リモコンに送信する。浴室リモコン２のマイコン７３は、直近に送信した第１の時刻データが示す時刻と第２の時刻データが示す時刻が相異したときに、該第２の時刻データにより示される時刻に計時手段８０の計時時刻を変更する。【選択図】  図４
2006226545.tif 000002
【特許請求の範囲】
【請求項１】
給湯器と、該給湯器を遠隔操作する主リモコン及び少なくとも１つの従リモコンとを備え、該主リモコンと該従リモコンとは相互に通信する手段を有する給湯システムにおいて、
前記主リモコンは、第１の表示器と、第１の発振器と、該第１の発振器の出力パルスを計数して計時を行なう第１の計時手段と、該第１の計時手段による計時時刻を前記第１の表示器に表示する計時時刻表示手段と、
該第１の計時手段による計時時刻を示す第１の時刻データを、所定のタイミングで前記従リモコンに送信する時刻データ送信手段と、
前記従リモコンから送信される第２の時刻データを受信したときに、該第２の時刻データにより示される時刻と直近に送信された前記第１の時刻データにより示される時刻とを比較し、両時刻が相違するときは、前記第１の計時手段の計時時刻を該第２の時刻データにより示される時刻に変更する計時時刻変更手段とを備え、
前記従リモコンは、第２の表示器と、前記第１の発振器よりも精度の低い第２の発振器と、該第２の発振器の出力パルスを計数して計時を行なう第２の計時手段と、時刻変更を指示するための時刻変更スイッチと、
前記第１の時刻データを受信したときに、該第１の時刻データにより示される時刻を前記第２の表示器に表示すると共に、該第１の時刻データを前記第２の時刻データとして前記主リモコンに送信する受信時刻表示処理を実行する受信時刻表示手段と、
前記時刻変更スイッチにより時刻変更操作がなされたときに、前記受信時刻表示処理を禁止して、該時刻変更操作により設定された時刻から前記第２の計時手段による計時を開始し、該時刻変更操作が行なわれてから、前記主リモコンにおける前記第１の計時手段の計時時刻の変更に要する時間よりも長い時間に設定された待機期間が経過するまで、前記第１の時刻データを受信したときに、前記第２の計時手段による計時時刻を示すデータを前記第２の時刻データとして前記主リモコンに送信すると共に、前記第２の計時手段による計時時刻を前記第２の表示器に表示し、該待機時間が経過した時に前記受信時刻表示処理の禁止を解除する時刻変更制御手段とを備えたことを特徴とする給湯システム。
【請求項２】
前記第２の発振器の出力パルスは、前記従リモコンに備えられたマイクロコンピュータの駆動クロックとしても使用されることを特徴とする請求項１記載の給湯システム。
【発明の詳細な説明】
【技術分野】
【０００１】
本発明は、給湯器と該給湯器を遠隔する主リモコン及び従リモコンとを備えた給湯システムに関し、特に各リモコンに表示される時刻の変更処理に関する。
【背景技術】
【０００２】
従来より、給湯器を遠隔操作するリモコンにおいては、給湯器の予約運転の設定を行なうために時刻を表示する機能が備えられている。そして、例えば、浴室と台所のように複数の箇所にリモコンを設置する場合、各リモコンにおいて個別に計時処理が実行され、各リモコンには計時時刻を変更するための時刻変更スイッチが備えられていた（例えば、特許文献１参照）。
【０００３】
このように、複数のリモコンで計時処理を行う場合、各リモコンにおける計時時刻の差を修正して計時時刻を同期させる処理と、いずれかのリモコンで時刻変更スイッチが操作されて計時時刻が変更されたときに、これに応じて他のリモコンの計時時刻を変更する処理とを行なう必要がある。そのため、各リモコンにおける計時処理が複雑になる。
【０００４】
さらに、各リモコンにおける計時精度を上げるためには、各リモコンに精度の高い発振器を備える必要があるが、発振器は精度が高いほど高価になるため、それに応じて各リモコンのコストが高くなるという不都合があった。
【特許文献１】特開２００３−９８２７９号公報
【発明の開示】
【発明が解決しようとする課題】
【０００５】
本発明は上記不都合を解消し、各リモコンに表示される時刻の精度を高く維持すると共に、各リモコンにおける時刻変更処理と時刻同期処理を簡素化した給湯システムを、コストを抑えて提供することを目的とする。
【課題を解決するための手段】
【０００６】
本発明は上記目的を達成するためになされたものであり、給湯器と、該給湯器を遠隔操作する主リモコン及び少なくとも１つの従リモコンとを備え、該主リモコンと該従リモコンとは相互に通信する手段を有する給湯システムの改良に関する。
【０００７】
そして、前記主リモコンは、第１の表示器と、第１の発振器と、該第１の発振器の出力パルスを計数して計時を行なう第１の計時手段と、該第１の計時手段による計時時刻を前記第１の表示器に表示する計時時刻表示手段と、該第１の計時手段による計時時刻を示す第１の時刻データを、所定のタイミングで前記従リモコンに送信する時刻データ送信手段と、前記従リモコンから送信される第２の時刻データを受信したときに、該第２の時刻データにより示される時刻と直近に送信された前記第１の時刻データにより示される時刻とを比較し、両時刻が相違するときは、前記第１の計時手段の計時時刻を該第２の時刻データにより示される時刻に変更する計時時刻変更手段とを備え、前記従リモコンは、第２の表示器と、前記第１の発振器よりも精度の低い第２の発振器と、該第２の発振器の出力パルスを計数して計時を行なう第２の計時手段と、時刻変更を指示するための時刻変更スイッチと、前記第１の時刻データを受信したときに、該第１の時刻データにより示される時刻を前記第２の表示器に表示すると共に、該第１の時刻データを前記第２の時刻データとして前記主リモコンに送信する受信時刻表示処理を実行する受信時刻表示手段と、前記時刻変更スイッチにより時刻変更操作がなされたときに、前記受信時刻表示処理を禁止して、該時刻変更操作により設定された時刻から前記第２の計時手段による計時を開始し、該時刻変更操作が行なわれてから、前記主リモコンにおける前記第１の計時手段の計時時刻の変更に要する時間よりも長い時間に設定された待機期間が経過するまで、前記第１の時刻データを受信したときに、前記第２の計時手段による計時時刻を示すデータを前記第２の時刻データとして前記主リモコンに送信すると共に、前記第２の計時手段による計時時刻を前記第２の表示器に表示し、該待機時間が経過した時に前記受信時刻表示処理の禁止を解除する時刻変更制御手段とを備えたことを特徴とする。
【０００８】
かかる本発明によれば、従リモコンに備えられた前記第２の発振回路は、主リモコンに備えられた前記第１の発振回路よりも精度が低いため、前記第１の発振回路よりもコストが安くなる。そのため、主リモコンと従リモコンの双方に前記第１の発振回路を備えた場合に比べて、給湯システム全体のコストを下げることができる。
【０００９】
そして、従リモコンにおいては、前記時刻変更スイッチによる時刻変更操作が行なわれていないときには、前記受信時刻表示手段により、主リモコンから送信される第１の時刻データにより示される時刻が前記第２の表示器に表示されるため、主リモコンと同期させて同じ精度で時刻を表示することができる。
【００１０】
また、前記時刻変更スイッチによる時刻変更操作が行なわなければ、主リモコンから送信される第１の時刻データが、そのまま第２の時刻データとして従リモコンから主リモコンに送信され、前記時刻変更スイッチによる時刻変更操作が行なわれたときに、変更された時刻を示すデータが第２の時刻データが従リモコンから主リモコンに送信される。
【００１１】
そのため、主リモコンでは、直近に送信した第１の時刻データと、それに応じて従リモコンから送信される第２の時刻データとの異同を確認するという簡易な処理により、従リモコンにおける時刻変更操作の有無を判断して、前記第１の計時手段の計時時刻を変更することができる。
【００１２】
一方、従リモコン側においては、前記時刻変更制御手段により、前記時刻変更スイッチにより時刻変更操作が行なわれてから前記待機時間が経過するまで、前記第２の計時手段により該時刻変更操作による設定時刻からの計時が行なわれて、前記第２の計時手段による計時時刻が前記第２の表示器に表示される。そして、前記待機時間が経過した後に、主リモコンから送信される第１の計時データにより示される時刻を前記第２の表示器に表示するという簡易な処理により、再び主リモコンと同期した精度の高い時刻表示を行なうことができる。
【００１３】
また、従リモコンで時刻変更スイッチにより時刻の変更操作が行なわれてから、前記所定時間が経過するまでは、前記第２の計時手段による計時時刻が前記第２の表示器に表示される。そのため、主リモコンで計時時刻の変更処理が実行されている間も、従リモコンで時刻の表示を継続させることができる。なお、このように前記第２の計時手段による計時時刻が表示されるのは、前記待機時間が経過するまでの微小時間に限られるため、計時精度は問題とならない。
【００１４】
また、前記第２の発振器の出力パルスは、前記従リモコンに備えられたマイクロコンピュータの駆動クロックとしても使用されることを特徴とする。
【００１５】
かかる本発明によれば、前記従リモコンがマイクロコンピュータを備え、前記第２の発振器の出力が該マイクロコンピュータの駆動クロックとして使用される場合には、前記第２の計時手段による計時処理のために専用の発振器を設ける必要がないため、前記従リモコンのコストをさらに低減することができる。
【発明を実施するための最良の形態】
【００１６】
本発明の実施の形態について、図１〜図７を参照して説明する。図１は本発明の給湯システムの全体構成図、図２は図１に示した浴室リモコンの外観図、図３は図１に示した台所リモコンの外観図、図４は浴室リモコン及び台所リモコンの回路構成図、図５は浴室リモコンの作動フローチャート、図６は台所リモコンの作動フローチャート、図７は浴室リモコン及び台所リモコンの表示時刻の推移を示したタイミングチャートである。
【００１７】
図１を参照して、給湯器１は給湯配管（図示しない）に湯を供給する機能の他に、浴槽（図示しない）に所定量の湯を供給する自動湯張り機能、浴槽内の湯を追焚きする追焚き機能等を備えている。そして、給湯器１を遠隔操作するために、浴室に設けられた浴室リモコン２（本発明の主リモコンに相当する）と、台所に設けられた台所リモコン３（本発明の従リモコンに相当する）と、洗面所等に設けられた増設リモコン４（本発明の従リモコンに相当する）とが備えられている。
【００１８】
図２（ａ）を参照して、浴室リモコン２には、給湯器１の作動状態等を表示する表示器１０（本発明の第１の表示器に相当する）、給湯器１を給湯動作が可能な運転状態と給湯動作が不能な待機状態とに切替えるための運転スイッチ１１、「追焚き運転」の実行を指示するための追焚きスイッチ１２、台所リモコン３と増設リモコン４に設けられたブザーの鳴動を指示するための呼び出しスイッチ１３、「自動湯張り運転」の実行を指示するための自動スイッチ１４、給湯温度の変更を指示するための給湯温度スイッチ１５、「自動湯張り運転」における湯張り温度や「追焚き運転」における追焚き温度の変更を指示するための風呂温度スイッチ１６、「自動湯張り運転」における湯量を設定するための湯量スイッチ１７、浴槽に高温の湯を所定量供給する「足し湯運転」の実行を指示するための足し湯スイッチ１８、浴槽に水を所定量供給する「ぬる湯運転」の実行を指示するためのぬる湯スイッチ２１、スピーカ２４の出力レベルを設定するための音量スイッチ１９、「自動湯張り運転」の終了時から浴槽内の湯を湯張り温度に保持する「保温運転」の実行時間を設定するための保温時間スイッチ２０、現在時刻及び予約時刻の設定／変更が可能な「時刻変更モード」への切替えを指示するための時計スイッチ２２、時刻の変更を指示するための時刻変更スイッチ２３、台所リモコン３と増設リモコン４による給湯温度の設定を無効として浴室リモコン２による給湯温度の設定を優先させる「優先モード」の設定を指示するための優先スイッチ２５、及び予約時刻に自動湯張り運転を終了させる「予約運転」の設定／解除を指示するための風呂予約スイッチ２６が備えられている。
【００１９】
また、図２（ｂ）を参照して、表示器１０には、「優先モード」に設定されているときに点灯する優先表示部３０、給湯温度が６０℃以上に設定されているときに点灯する高温表示部３１、給湯用バーナ（図示しない）の燃焼中に点灯する給湯燃焼表示部３２、給湯温度を表示する給湯温度表示部３３、「予約運転」が設定されているときに点灯する予約表示部３４、現在時刻及び予約時刻を表示する時刻表示部３５、追焚き用バーナ（図示しない）の燃焼中に点灯する追焚き燃焼表示部３６、湯張り量／湯張り温度を切替え表示する風呂表示部４２、風呂表示部４２の表示内容を示す単位表示部３７、「ぬる湯運転」の実行中に点灯する注水表示部３８、「足し湯運転」の実行中に点灯する注湯表示部３９、自動湯張り運転／追焚き運転／足し湯運転／ぬる湯運転の実行中に点灯する風呂運転表示部４０、湯張り量の目安を示す水位表示部４１、「保温運転」の実行中に点灯する保温表示部４３が備えられている。
【００２０】
浴室リモコン２においては、使用者は先ず時計スイッチ２２を操作して「時刻設定モード」とする。そして、使用者が時刻変更スイッチ２３（もどる、すすむ）を操作すると、それに応じて、時刻表示部３５に表示される時刻が変更される。そして、使用者が時計スイッチ２２を操作すると、時刻表示部３５に表示されていた時刻が新たな計時の開始時刻として設定される。
【００２１】
図３（ａ）を参照して、台所リモコン３には、給湯器１の作動状態等を表示する表示器５０、給湯器１を給湯動作が可能な運転状態と給湯動作が不能な待機状態とに切替えるための運転スイッチ５１、「自動湯張り運転」の実行を指示するための自動スイッチ５２、現在時刻の設定／変更が可能な「時刻変更モード」への切替えを指示するための時計スイッチ５５、現在時刻の変更を指示するための時刻変更スイッチ５３、スピーカ５６の出力レベルを設定するための音量スイッチ５４、及び給湯温度を変更するための給湯温度スイッチ５７が備えられている。
【００２２】
また、図３（ｂ）を参照して、台所リモコン３の表示器５０には、「優先モード」に設定されているときに点灯する優先表示部６０、給湯温度を表示する給湯温度表示部６１、給湯温度が６０℃以上に設定されているときに点灯する高温表示部６２、給湯運転中に点灯する給湯燃焼表示部６３、「保温運転」の実行中に点灯する保温表示部６４、現在時刻を表示する時刻表示部６５、「予約運転」が設定されているときに点灯する予約表示部６６が備えられている。なお、増設リモコン４の構成は台所リモコン３と同様である。
【００２３】
台所リモコン３においては、使用者は先ず時計スイッチ５５を操作して「時刻設定モード」とする。そして、使用者が時刻変更スイッチ５３（もどる、すすむ）を操作すると、それに応じて、時刻表示部６５に表示される時刻が変更される。そして、使用者が時計スイッチ５５を操作すると、時刻表示部６５に表示されていた時刻が計時の新たな開始時刻として設定される。
【００２４】
次に、図４を参照して、浴室リモコン２と台所リモコン３の回路構成について説明する。浴室リモコン２には、給湯器１から供給される電力により回路の駆動電圧を生成する電源回路７０、停電等により給湯器１からの電力供給が遮断されたときに回路の駆動電圧をバックアップする電源保持回路７１、給湯器１と台所リモコン３と増設リモコン４との間で通信を行なうためのインターフェース回路である通信回路７２、浴室リモコン２の作動を制御するマイクロコンピュータ７３（以下、マイコン７３という）、マイコン７３の駆動パルス信号を生成するマイコン駆動用発振回路７４、時刻のためのパルス信号を生成する計時用発振回路７５（本発明の第１の発振器に相当する）、各スイッチの操作信号を入力するためのインターフェース回路であるスイッチ入力回路７６、及び表示器１０とスイッチに内蔵されたＬＥＤ（図示しない）に駆動信号を出力するためのインターフェース回路である表示出力回路７７が備えられている。
【００２５】
そして、マイコン７３には、時刻計時用発振回路７５から出力されるパルス信号を計数して時刻の計時を行なう計時手段８０（本発明の第１の計時手段に相当する）、計時手段８０の計時時刻を表示出力回路７７を介して表示器１０に表示する計時時刻表示手段８１、計時手段８０の計時時刻を示す第１の時刻データを台所リモコン３及び増設リモコン４に送信する時刻データ送信手段８２、及び台所リモコン３又は増設リモコン４における時刻変更操作に応じて計時手段８０の計時時刻を変更する計時時刻変更手段８３が備えられている。
【００２６】
また、台所リモコン３には、給湯器１から供給される電力により回路の駆動電圧を生成する電源回路９０、給湯器１と浴室リモコン２と増設リモコン４との間で通信を行なうためのインターフェース回路である通信回路９１、台所リモコン３の作動を制御するマイクロコンピュータ９２（以下、マイコン９２という）、マイコン９２の駆動パルス信号を生成するマイコン駆動用発振回路９３、各スイッチの操作信号を入力するためのインターフェース回路であるスイッチ入力回路９４、及び表示器５０とスイッチに内蔵されたＬＥＤに駆動信号を出力するためのインターフェース回路である表示出力回路９５が備えられている。
【００２７】
そして、マイコン９２には、マイコン駆動用発振回路９３から出力されるパルス信号を計数して時刻の計時を行なう計時手段１００（本発明の第２の計時手段に相当する）、浴室リモコン２から送信される第１の時刻データを受信して該第１の時刻データにより示される時刻を表示出力回路９５を介して表示器５０に表示する「受信時刻表示処理」を実行する受信時刻表示手段１０１、及び時計スイッチ５５と時刻変更スイッチ５３により時刻変更操作がなされたときに、所定の待機時間が経過するまで「受信時刻表示処理」を禁止して計時手段１００の計時時刻を表示出力回路９５を介して表示器５０に表示する時刻変更制御手段１０２が備えられている。なお、増設リモコン４の回路構成は、台所リモコン３と同様である。
【００２８】
次に、図５及び図６を参照して、台所リモコン３により時刻変更操作がなされたときの浴室リモコン２のマイコン７３及び台所リモコン３のマイコン９２における処理について説明する。なお、増設リモコン４により時刻変更操作がなされたときにも、浴室リモコン２と増設リモコン４において同様の処理が実行される。
【００２９】
先ず、図５に示したフローチャートに従って、浴室リモコン２に備えられたマイコン７３による時刻表示と時刻変更の処理について説明する。マイコン７３は、作動を開始するとＳＴＥＰ１で後述するＴ1タイマが作動中であることを示すＴ1フラグをリセット（０→Ｔ1）する。
【００３０】
そして、次のＳＴＥＰ２で計時時刻表示手段８１が計時手段８０の計時時刻を表示器１０に表示し、ＳＴＥＰ３で時刻データ送信手段８２が計時手段８０の計時時刻を示す第１の時刻データを台所リモコン３及び増設リモコン４に送信する。なお、ＳＴＥＰ２における計時時刻の表示は時、分単位で行なわれ、ＳＴＥＰ３における第１の時刻データの送信も時、分単位で行なわれる。
【００３１】
続くＳＴＥＰ４〜ＳＴＥＰ６、ＳＴＥＰ１０〜ＳＴＥＰ１３、及びＳＴＥＰ２０〜ＳＴＥＰ２１は、計時時刻変更手段８３による処理である。計時時刻変更手段８３は、ＳＴＥＰ４で台所リモコン３から送信される第２の時刻データを受信したときにＳＴＥＰ５に進む。
【００３２】
そして、計時時刻変更手段８３は、ＳＴＥＰ５で、ＳＴＥＰ３で送信した第１の時刻データ（直近に送信した第１の時刻データ）により示される時刻と、ＳＴＥＰ４で受信した第２の時刻データにより示される時刻が一致するか否かを判断する。
【００３３】
ここで、両時刻が一致したときは、台所リモコン３側の処理については後述するが、ＳＴＥＰ３で送信された第１の時刻データが、そのまま第２の時刻データとして台所リモコン３から送信されており、台所リモコン３で時刻変更操作がなされていないと判断できる。そこで、この場合にはＳＴＥＰ６に進み、計時時刻変更手段８３は、Ｔ1フラグをリセットしてＳＴＥＰ２に戻る。
【００３４】
このように、台所リモコン３で時刻変更操作がなされなければ、ＳＴＥＰ２〜ＳＴＥＰ６が繰り返し実行され、ＳＴＥＰ２で計時時刻表示手段８１により計時手段８０の計時時刻が表示器１０に表示されると共に、ＳＴＥＰ３で時刻データ送信手段８２により計時手段８０の計時時刻を示す第１の計時データが台所リモコン３に送信される。なお、この場合は、ＳＴＥＰ４〜ＳＴＥＰ６及びＳＴＥＰ２の処理が終了する毎に、ＳＴＥＰ３で時刻データ送信手段８２により計時手段８０の計時時刻を示す第１の計時データが台所リモコン３に送信されるため、ＳＴＥＰ２の処理が終了した時点が本発明の所定のタイミングとなる。
【００３５】
一方、ＳＴＥＰ５で、第１の時刻データにより示される時刻と該２の時刻データに示される時刻が相違したときには、ＳＴＥＰ１０に分岐する。そして、計時時刻変更手段８３は、ＳＴＥＰ１０で設定時間をＴ1とするＴ1タイマが作動中であることを示すＴ1フラグがセット（Ｔ1フラグ＝１）されているか否かを判断する。Ｔ1フラグがセットされていなければＳＴＥＰ２０に分岐し、計時時刻変更手段８３は、ＳＴＥＰ２０でＴ1タイマをスタートさせ、ＳＴＥＰ２１でＴ1フラグをセットしてＳＴＥＰ２に戻る。ここで、Ｔ1タイマは、ノイズ等による第２の計時データの誤認識を防止するためのものであり、Ｔ1として例えば８０秒程度が設定される。
【００３６】
また、ＳＴＥＰ１０でＴ1タイマがセットされていたとき、すなわち、既にＴ1タイマがスタートしているときにはＳＴＥＰ１１に進む。そして、計時時刻変更手段８３は、ＳＴＥＰ１１でＴ1タイマがタイムアップしたか否かを判断し、Ｔ1タイマがタイムアップしていなかったときにはＳＴＥＰ２に分岐する。
【００３７】
一方、ＳＴＥＰ１１でＴ1タイマがタイムアップしたときには、ＳＴＥＰ１２に進み、計時時刻変更手段８３は、第２の時刻データが示す時刻＋Ｔ1に計時手段８０の計時時刻を変更し、ＳＴＥＰ１３でＴ1フラグをリセットしてＳＴＥＰ２に進む。
【００３８】
以上説明したように、計時時刻変更手段８３は、ＳＴＥＰ５で第１の時刻データにより示される時刻と第２の時刻データにより示される時刻が相異するようになったときに、ＳＴＥＰ１０に分岐し、さらにＳＴＥＰ２０に分岐してＴ1タイマをスタートする。そして、第１の時刻データにより示される時刻と第２の時刻データにより示される時刻が相違した状態が継続してＳＴＥＰ１１でＴ1タイマがタイムアップしたときに、ＳＴＥＰ１２で計時手段８０の計時時刻を変更する。
【００３９】
この場合、Ｔ1よりも短い時間しか、第１の時刻データにより示される時刻と第２の時刻データにより示される時刻が相異した状態が継続しなかったときは、ＳＴＥＰ５からＳＴＥＰ６に進んでＴ1フラグがリセットされる。そのため、ノイズ等の影響により、瞬間的に第１の時刻データにより示される時刻と、第２の時刻データにより示される時刻が異なる状態となったときに、誤って計時手段８０の計時時刻が変更されることを防止することができる。
【００４０】
次に、図６に示したフローチャートに従って、台所リモコン３に備えられたマイコン９２による時刻表示と時刻変更処理について説明する。マイコン９２は、作動を開始するとＳＴＥＰ３０でＴ2を設定時間とするＴ2タイマが作動中であることを示すＴ2フラグをリセット（０→Ｔ2）する。
【００４１】
続くＳＴＥＰ３１で、浴室リモコン２から送信される第１の時刻データを受信したときに、ＳＴＥＰ３２に進んで、マイコン９２はＴ2フラグがセット（Ｔ2フラグ＝１）されているか否かを判断する。そして、Ｔ2フラグがセットされていなければＳＴＥＰ３３に進み、マイコン９２は時刻変更操作の有無を判断し、時刻変更操作がなされていなければＳＴＥＰ３４に進む。
【００４２】
ＳＴＥＰ３４〜ＳＴＥＰ３５は受信時刻表示手段１０１による処理である。受信時刻表示手段１０１は、ＳＴＥＰ３４で第１の時刻データにより示される時刻を表示器５０に表示し、ＳＴＥＰ３５で第１の時刻データをそのまま第２の時刻データとして浴室リモコン２に送信して、ＳＴＥＰ３１に戻る。
【００４３】
このように、時刻変更操作がなされなければ、ＳＴＥＰ３１〜ＳＴＥＰ３３で分岐することなく、受信時刻表示手段１０１によるＳＴＥＰ３４とＳＴＥＰ３５の処理が繰り返し実行される。この場合、台所リモコン３の表示器５０には、浴室リモコン２の計時手段８０により計時される計時用発振回路７５のパルス信号に基づく高精度のものとなる。そのため、台所リモコン３には、時刻計時用の高精度の発振回路を備える必要がない。
【００４４】
また、図４に示したように、浴室リモコン２は電源保持回路７１を備えているため、停電により給湯器１からの電源供給が遮断されても、計時手段８０による計時を続行することができる。そして、停電が回復したときには、浴室リモコン２から送信される第１の計時データにより、台所リモコン３は時刻表示を再開することができるため、台所リモコン３に電源保持回路を備える必要はない。
【００４５】
一方、ＳＴＥＰ３２でＴ2フラグがセットされていたとき、すなわち、Ｔ2タイマが作動中であるときにはＳＴＥＰ４０に分岐し、マイコン９２は、ＳＴＥＰ４０でＴ2タイマがタイムアップしているか否かを判断する。そして、Ｔ2タイマがタイムアップしていたときはＳＴＥＰ５０に分岐し、Ｔ2フラグをリセットしてＳＴＥＰ３４に進む。また、ＳＴＥＰ４０でＴ2タイマがタイムアップしていなかったときにはＳＴＥＰ６２に進む。
【００４６】
また、ＳＴＥＰ３３で時刻変更操作がなされたときはＳＴＥＰ６０に分岐する。ＳＴＥＰ６０〜ＳＴＥＰ６３は、時刻変更制御手段１０２による処理である。時刻変更制御手段１０２は、ＳＴＥＰ６０でＴ2タイマをスタートさせ、ＳＴＥＰ６１でＴ2フラグをセットする。
【００４７】
そして、時刻変更制御手段１０２は、続くＳＴＥＰ６２で時刻変更処理により設定された時刻にＴ2タイマの経過時間を加算した時刻を表示器５０に表示する。ここで、Ｔ2タイマの計時時刻は、計時手段１００によりマイコン駆動用発振回路９３から出力されるパルス信号を計数することによって計時される。また、ＳＴＥＰ６３で、時刻変更制御手段１０２は、時刻変更処理により設定された時刻にＴ2タイマの経過時間を加算した時刻を示すデータを、第２の計時データとして浴室リモコン２に送信する。
【００４８】
このように、ＳＴＥＰ３３で時刻変更操作がなされると、受信時刻表示手段１０１によるＳＴＥＰ３４及びＳＴＥＰ３５の処理が禁止され、ＳＴＥＰ４０でＴ2タイマがタイムアップするまで、時刻変更制御手段１０２によるＳＴＥＰ６２及びＳＴＥＰ６３の処理が実行される。
【００４９】
そして、ＳＴＥＰ６３で、時刻変更制御手段１０２により、時刻変更操作により設定された時刻にＴ2タイマの経過時間を加算した時刻を示すデータが第２の時刻データとして浴室リモコン２に送信されると、上述した図５のＳＴＥＰ４で受信される第２の時刻データがＳＴＥＰ３で送信された第１の時刻データと相違する状態となる。そのため、ＳＴＥＰ５からＳＴＥＰ１０に分岐し、第１の時刻データと第２の時刻データが相違する状態がＴ1以上継続したときに、ＳＴＥＰ１２で、計時時刻変更手段８３により計時手段８０の計時時刻が変更される。
【００５０】
ここで、Ｔ2タイマの設定時間Ｔ2は、上述した浴室リモコン２における計時時刻の変更処理に要する時間Ｔ1よりも長い時間に設定される。そして、ＳＴＥＰ３３で時刻変更操作がなされてＳＴＥＰ６０でＴ2タイマがスタートしてから、ＳＴＥＰ４０でＴ2タイマがタイムアップするまでの間は、時刻変更制御手段１０２により、ＳＴＥＰ６２で時刻変更操作による設定時刻＋Ｔ2タイマの経過時間が表示器５０に表示される。そのため、時刻変更操作が終了してから、浴室リモコン２において計時時刻の変更が終了するまでの間に、表示器５０の時刻表示が中断されることがない。
【００５１】
なお、このように、Ｔ2タイマの経過時間による時刻表示は、Ｔ2タイマがタイムアップするまでに限られるため、時刻計時用発振回路よりも精度の低いマイコン駆動用発振回路９３の出力パルスを計数する計時手段１００によって、Ｔ2タイマの計時を行なっても問題はない。
【００５２】
次に、図７は、以上説明した図５の浴室リモコン２の処理及び図６の台所リモコン３の処理を実行したときの、浴室リモコン２の表示器１０における表示時刻と、台所リモコン３から浴室リモコン２に送信される応答信号（第２の時刻データ）により示される時刻の推移を示したタイミングチャートであり、横軸が時刻（ｔ）に設定されている。
【００５３】
図７においては、ｔ0、ｔ1、ｔ3、ｔ5、ｔ7、ｔ8、ｔ9の時点で浴室リモコン２の時刻表示が切替わっている。そして、台所リモコン３から送信される第２の時刻データが示す時刻は、ｔ0、ｔ1、ｔ3、ｔ8、ｔ9の時点で、浴室リモコン２の表示時刻と同期して切替わっている。また、時刻ｔ2で台所リモコン３の時刻変更操作が開始され、該時刻変更操作が終了したｔ4からＴ2が経過するｔ7まで（Ｔ2タイマがタイムアップするまで）の間は、時刻変更制御手段１０２により「受信時刻表示処理」が禁止されて、台所リモコン３の表示時刻は台所リモコン３に備えられた計時手段８０の計時時刻となる。
【００５４】
一方、浴室リモコン２においては、ｔ4で時刻変更操作により台所リモコン３から送信される第２の時刻データ（１１：００）が、直近に送信した第１の時刻データ（１０：０２）と相異する状態となる。そして、第１の時刻データと第２の時刻データとが相異する状態がＴ1継続したｔ5で、計時時刻変更手段８３により、計時手段８０の計時時刻が第２の計時データ（１１：００）＋Ｔ1に変更される。
【００５５】
また、台所リモコン３においては、Ｔ2が経過したｔ7以降は、「受信時刻表示処理」の禁止が解除されて、「受信時刻表示処理」が再開され、浴室リモコン２から送信される第１の時刻データを受信したときに、該第１の時刻データにより示される時刻が表示される。そのため、再び、浴室リモコン２の表示時刻と台所リモコン３の表示時刻が同期する。
【００５６】
なお、本実施の形態では、本発明の従リモコンとして、台所リモコン３及び増設リモコン４を備えた給湯システムを示したが、従リモコンを１台備えた給湯システム及び従リモコンが３台以上備えた給湯システムにおいても、本発明の適用が可能である。
【００５７】
また、本実施の形態においては、図４に示したように、台所リモコン３に備えられた計時手段１００は、マイコン駆動用発振回路９３のパルス信号を計数して計時を行ったが、マイコン駆動用発振回路３３とは別個に、浴室リモコン２に備えられた計時用発振回路７５よりも精度の低い発振回路を備え、計時手段１００が該発振回路から出力されるパルス信号を計時する場合にも、本発明の効果を得ることができる。
【図面の簡単な説明】
【００５８】
【図１】本発明の給湯システムの全体構成図。
【図２】図１に示した浴室リモコンの外観図。
【図３】図１に示した台所リモコンの外観図。
【図４】浴室リモコン及び台所リモコンの回路構成図。
【図５】浴室リモコンの作動フローチャート。
【図６】台所リモコンの作動フローチャート。
【図７】浴室リモコン及び台所リモコンの表示時刻の推移を示したタイミングチャート。
【符号の説明】
【００５９】
１…給湯器、２…浴室リモコン、３…台所リモコン、４…増設リモコン、１０…（浴室リモコンの）表示器、５０…（台所リモコンの）表示器、５３…（台所リモコンの）時刻変更スイッチ、７３…（浴室リモコンの）マイクロコンピュータ、７４…（浴室リモコンの）マイコン駆動用発振回路、７５…時刻計時用発振回路、８０…（浴室リモコンの）計時手段、８１…計時時刻表示手段、８２…時刻データ送信手段、８３…計時時刻変更手段、９２…（台所リモコンの）マイクロコンピュータ、９３…（台所リモコンの）マイコン駆動用発振回路、１００…（台所リモコンの）計時手段、１０１…受信時刻表示手段、１０２…時刻変更制御手段
【図１】
2006226545.tif 000003
【図２】
2006226545.tif 000004
【図３】
2006226545.tif 000005
【図４】
2006226545.tif 000006
【図５】
2006226545.tif 000007
【図６】
2006226545.tif 000008
【図７】
2006226545.tif 000009